(57)【要約】【課題】安価に製造することができ、迅速に衣類に装着できるハンガーを提供する。【解決手段】ハンガー１は、フック１４と、フック１４の下端部に設けられ、下方に向かって伸びるスライドバー１５と、スライドバー１５に回動可能に係止される一対のアーム１１と、一端がリンク係止ピン１３Ｂによってアーム１１に回動可能に係止され、他端が互いにリンクピン１６によって回動可能に係止され、アーム１１が開いたときにリンクピン１６がリンク係止ピン１３Ｂに対してアーム１１が閉じることを規制する位置に配置される長さを有する一対のリンク１３Ａと、を備える。【選択図】図１
2019150464.tif 000002
【特許請求の範囲】
【請求項１】
フックと、
前記フックの下端部に設けられ、下方に向かって伸びるスライドバーと、
前記スライドバーに回動可能に係止される一対のアームと、
一端がリンク係止ピンによって前記アームに回動可能に係止され、他端が互いにリンクピンによって回動可能に係止され、前記アームが開いたときに前記リンクピンが前記リンク係止ピンに対して前記アームが閉じることを規制する位置に配置される長さを有する一対のリンクと、
を備えるハンガー。
【請求項２】
前記スライドバーは、
伸延方向に沿って伸びるスリットを有し、
前記アームは、
上端部にリンク係止部を残して前記スライドバーに回動可能に係止され、
前記リンクは、
一端がそれぞれ前記リンク係止部に前記リンク係止ピンによって回動可能に係止され、他端が前記スリットに挿通される前記リンクピンによって回動可能に係止され、前記アームを開いたときに前記リンクピンが前記リンク係止ピンよりも下方に位置する長さを有する請求項１に記載のハンガー。
【請求項３】
前記スライドバーは、
伸延方向に沿って伸びるスリットを有し、
前記アームは、
前記スライドバーに回動可能に係止され、
前記リンクは、
一端がそれぞれ前記アームに前記リンク係止ピンによって回動可能に係止され、他端が前記スライドバーの下端に設けられるピン穴に挿通される前記リンクピンによって回動可能に係止され、前記アームを開いたときに前記リンクピンが前記リンク係止ピンと同じ高さかより上方に位置する長さを有する請求項１に記載のハンガー。
【発明の詳細な説明】
【技術分野】
【０００１】
本発明は、ハンガーに関する。
【背景技術】
【０００２】
衣料品を販売する店舗等において、例えば丸首のＴシャツをハンガーにかけて展示する場合、従来のハンガーを使うとＴシャツの下部からハンガーを差し入れなければならず、工数と時間がかかっていた。
【０００３】
この点に関し、フック１の下方に延びるスライドブラケット３をフック下端部に設け、このスライドブラケット３をブラケット４に設けられるスリットにスライドブラケット３を挿通し、さらにブラケット４の両端部に肩かけアーム５を回動可能に取り付け、肩かけアーム５の伸延方向中央付近とスライドブラケット３の下端に接続するリンク６を設けるハンガーが提案されている（例えば、特許文献１。）。
【０００４】
しかし、この技術によっては、肩かけアーム５をブラケット４の両端部の２か所において係止しているため、係止位置の間隔がある程度必要となる。すると、リンク６が肩かけアーム５に係止される位置が、肩かけアーム５を閉じたときにブラケット４における肩かけアーム５の係止位置よりスライドブラケット３側に寄った位置となる。従って、この技術によっては、フック１を引き上げたときに加わる力が肩かけアーム５を開く方向には直ちには働かず、肩かけアーム５を更に閉じる方向に働く。よって、例えばフック１を引き上げる等の一つの動作によって肩かけアーム５を開くことができず、工数は削減できない。
【０００５】
また、肩部２の支持部材３への係止位置を、リンク部材５の方部２への係止位置より作動部材１０側に寄せたハンガーが提案されている（例えば、特許文献２。）。
【０００６】
しかし、この技術によっては、一対のリンク部材５のなす作動部材１０側の角度が、１８０°より小さくなっている。この場合、肩部２を開いても自重によって閉じてしまうため、別途係止爪部１６等の肩部２が閉じることを規制する部材が必要になり、構成が複雑かつ製造コストの上昇をもたらす。
【先行技術文献】
【特許文献】
【０００７】
【特許文献１】特許第５８６７９５６号公報
【特許文献２】実用新案登録第３１９０３７７号公報
【発明の概要】
【発明が解決しようとする課題】
【０００８】
本発明が解決しようとする課題は、安価に製造することができ、迅速に衣類に装着できるハンガーを提供することである。
【課題を解決するための手段】
【０００９】
上記課題を解決するために、本発明は、フックと、前記フックの下端部に設けられ、下方に向かって伸びるスライドバーと、前記スライドバーに回動可能に係止される一対のアームと、一端がリンク係止ピンによって前記アームに回動可能に係止され、他端が互いにリンクピンによって回動可能に係止され、前記アームが開いたときに前記リンクピンが前記リンク係止ピンに対して前記アームが閉じることを規制する位置に配置される長さを有する一対のリンクと、を備えるハンガーを提供する。
【発明の効果】
【００１０】
本発明によれば、安価に製造することができ、迅速に衣類に装着できるハンガーを提供することができる。
【図面の簡単な説明】
【００１１】
【図１】第１の実施形態にかかるハンガーのアームを開いた状態の正面図。
【図２】第１の実施形態にかかるハンガーのアームを閉じる過程を示す正面図。
【図３】第１の実施形態にかかるハンガーのアームを閉じた状態を示す正面図。
【図４】図３に示すハンガーの背面図。
【図５】第１の実施形態の変形例に係るハンガーのアームを開いた状態を示す図。
【図６】第１の実施形態の変形例に係るハンガーのアームを閉じた状態を示す図。
【図７】第２の実施形態にかかるハンガーのアームを開いた状態の正面図。
【図８】第２の実施形態にかかるハンガーのアームを閉じる過程を示す正面図。
【図９】第２の実施形態にかかるハンガーのアームを閉じた状態を示す正面図。
【発明を実施するための形態】
【００１２】
以下、本発明の一実施形態にかかるハンガー１を、図面を参照しながら説明する。
【００１３】
（第１の実施形態）
図１は本実施形態にかかるハンガー１のアーム１１を開いた状態の正面図である。図２は本実施形態にかかるハンガー１のアーム１１を閉じる過程を示す正面図である。図３は本実施形態にかかるハンガー１のアーム１１を閉じた状態を示す正面図である。図４は、図３に示すハンガー１の背面図である。
【００１４】
図１から図４までに示すように、ハンガー１は、フック１４と、フック１４の下端部に設けられ、図1の正面視下方に延びるスライドバー１５と、一対のアーム１１と、一対のリンク１３Ａと、を備える。
【００１５】
スライドバー１５は、スライドバー１５の伸延方向に延びるスリット１５Ａと、スリット１５Ａよりも下方に設けられるピン穴（図示せず。）と、を備える。
【００１６】
一対のアーム１１は、互いに同形状に形成される。アーム１１は衣類を掛けるのに適切な長さと幅を有する。アーム１１は、スライドバー１５側端部にリンク１３Ａを回動可能に係止するリンク係止部１３を備える。
【００１７】
一対のアーム１１は、リンク係止部１３より下端側の根元に設けられるアーム係止穴と、スライドバー１５のピン穴とに係止ピン１２を挿通することによってスライドバー１５に回動可能に係止される。
【００１８】
一対のリンク１３Ａは、一端がそれぞれリンク係止部１３にリンク係止ピン１３Ｂによって回動可能に係止され、他端は、スリット１５Ａに挿通されるリンクピン１６によって回動可能に係止される。
【００１９】
リンク係止部１３、リンク１３Ａ、及びスリット１５Ａの長さは、アーム１１を開いたときにリンクピン１６がリンク係止ピン１３Ｂよりも下方に位置するように設定される。
【００２０】
次に、本実施形態のハンガー１の動作について説明する。
【００２１】
アーム１１を開く場合には、フック１４を支えてリンクピン１６を下方に移動させる。この際、リンクピン１６が、リンク係止ピン１３Ｂよりも下方になるように、十分に押し下げる。
【００２２】
このようにアーム１１を開くと、アーム１１が閉じる方向の力は、リンクピン１６をさらに下方に押し込む力となる。しかし、リンクピン１６はスリット１５Ａの下端にあたってそれ以上可能に変位しない。
【００２３】
従って、アーム１１に衣類を掛けても、アーム１１は閉じない。
【００２４】
アーム１１を閉じる場合には、リンクピン１６をリンク係止ピン１３Ｂよりも上方に変位させる。
【００２５】
この場合、アーム１１を閉じる方向の力は、リンクピン１６をスリット１５Ａに沿って上方に変位させる力となるため、アーム１１は自重によって閉じる。
【００２６】
図５は本実施形態の変形例に係るハンガー１のアームを開いた状態を示す図である。図６は本変形例に係るハンガー１のアーム１１を閉じた状態を示す図である。
【００２７】
図５及び図６に示すように、本変形例に係るハンガー１は、リンク係止ピン１３Ｂがスライドバー１５とは反対側寄りにアーム１１に配置される点のみが、第１の実施形態にかかるハンガー１の構成と異なり、その他の構成は第１の実勢形態にかかるハンガー１の構成と同じである。
【００２８】
リンク係止ピン１３Ｂをスライドバー１５とは反対側寄り、つまり外側寄りに配置することにより、リンクピン１６の変位動作、つまりアーム１１の開閉動作がよりスムーズになるという効果がある。
【００２９】
以上述べたように、本実施形態のハンガー１は、フック１４と、フック１４の下端部に設けられ、下方に向かって伸びるスライドバー１５と、スライドバー１５に回動可能に係止される一対のアーム１１と、一端がリンク係止ピン１３Ｂによってアーム１１に回動可能に係止され、他端が互いにリンクピン１６によって回動可能に係止され、アーム１１が開いたときにリンクピン１６がリンク係止ピン１３Ｂに対してアーム１１が閉じることを規制する位置に配置される長さを有する一対のリンク１３Ａと、を備える。
【００３０】
より具体的には、本実施形態のハンガー１は、フック１４と、フック１４の下端部に設けられ、下方に向かって伸び、伸延方向に沿って伸びるスリット１５Ａを有するスライドバー１５と、上端部にリンク係止部１３を残してスライドバー１５に回動可能に係止される一対のアーム１１と、一端がそれぞれリンク係止部１３にリンク係止ピン１３Ｂによって回動可能に係止され、他端がスリット１５Ａに挿通されるリンクピン１６によって回動可能に係止され、アーム１１を開いたときにリンクピン１６がリンク係止ピン１３Ｂよりも下方に位置する長さを有する一対のリンク１３Ａと、を備える。
【００３１】
従って、本実施形態のハンガー１によれば、リンクピン１６を下方又は上方に変位させるという一つの動作のみによって、アーム１１を開閉できるという効果がある。
【００３２】
（第２の実施形態）
図７は本実施形態にかかるハンガー１のアーム１１を開いた状態の正面図である。図８は本実施形態にかかるハンガー１のアーム１１を閉じる過程を示す正面図である。図９は本実施形態にかかるハンガー１のアーム１１を閉じた状態を示す正面図である。
【００３３】
図７から図９までに示すように、ハンガー１は、フック１４と、フック１４の下端部に設けられ、図1の正面視下方に延びるスライドバー１５と、一対のアーム１１と、一対のリンク１７と、を備える。
【００３４】
スライドバー１５は、スライドバー１５の伸延方向に延びるスリット１５Ａと、スリット１５Ａよりも下方に設けられるピン穴（図示せず。）と、を備える。
【００３５】
一対のアーム１１は、互いに同形状に形成される。アーム１１は衣類を掛けるのに適切な長さと幅を有する。アーム１１はスリット１５Ａに挿通される係止ピン１２によって互いに回動可能に係止される。
【００３６】
一対のリンク１７は、一端がアーム１１にリンク係止ピン１７Ａによって回動可能に係止され、他端がスライドバー１５の下端部に設けられるピン穴に挿通されるリンクピン１８によって回動可能に係止される。
【００３７】
リンク１７及びスリット１５Ａの長さは、アーム１１を開いたときにリンクピン１８がリンク係止ピン１３Ｂよりも上方に位置するように設定される。
【００３８】
次に、本実施形態のハンガー１の動作について説明する。
【００３９】
アーム１１を開く場合には、フック１４を支えてリンクピン１８を上方に移動させる。この際、リンクピン１８が、リンク係止ピン１７Ａと同じ高さかそれよりも上方になるように、十分に引き上げる。
【００４０】
このようにアーム１１を開くと、アーム１１が閉じる方向の力は、リンクピン１８をさらに上方に押し込む力となる。しかし、係止ピン１２はスリット１５Ａの下端にあたってリンクピン１８はそれ以上下方に変位しない。
【００４１】
従って、アーム１１に衣類を掛けても、アーム１１は閉じない。
【００４２】
アーム１１を閉じる場合には、リンクピン１８をリンク係止ピン１７Ａよりも下方に変位させる。
【００４３】
この場合、アーム１１を閉じる方向の力は、係止ピン１２をスリット１５Ａに沿って上方に変位させる力となるため、アーム１１は自重によって閉じる。
【００４４】
以上述べたように、本実施形態のハンガー１は、フック１４と、フック１４の下端部に設けられ、下方に向かって伸びるスライドバー１５と、スライドバー１５に回動可能に係止される一対のアーム１１と、一端がリンク係止ピン１７Ａによってアーム１１に回動可能に係止され、他端が互いにリンクピン１８によって回動可能に係止され、アーム１１が開いたときにリンクピン１８がリンク係止ピン１７Ａに対してアーム１１が閉じることを規制する位置に配置される長さを有する一対のリンク１７と、を備える。
【００４５】
より具体的には、本実施形態のハンガー１は、フック１４と、フック１４の下端部に設けられ、下方に向かって伸びるスライドバー１５と、スライドバー１５に回動可能に係止される一対のアーム１１と、一端がそれぞれアーム１１にリンク係止ピン１７Ａによって回動可能に係止され、他端がスライドバー１５の下端に設けられるピン穴に挿通されるリンクピン１８によって回動可能に係止され、アーム１１を開いたときにリンクピン１８がリンク係止ピン１７Ａと同じ高さかより上方に位置する長さを有する一対のリンク１７と、を備える。
【００４６】
従って、本実施形態のハンガー１によれば、リンクピン１８を上方又は下方に変位させるという一つの動作のみによって、アーム１１を開閉できるという効果がある。
【符号の説明】
【００４７】
１１  アーム
１２  係止ピン
１３  リンク係止部
１３Ａ  リンク
１３Ｂ  リンク係止ピン
１４  フック
１５  スライドバー
１５Ａ  スリット
１６  リンクピン
１７  リンク
１７Ａ  リンク係止ピン
１８  リンクピン
【図１】
2019150464.tif 000003
【図２】
2019150464.tif 000004
【図３】
2019150464.tif 000005
【図４】
2019150464.tif 000006
【図５】
2019150464.tif 000007
【図６】
2019150464.tif 000008
【図７】
2019150464.tif 000009
【図８】
2019150464.tif 000010
【図９】
2019150464.tif 000011